(57)【要約】【課題】傾斜型冠形保持器に関して、ポケットの底部が位置する円周方向箇所と柱部が位置する円周方向箇所との肉厚差を小さくすることができる構造を実現する。【解決手段】傾斜型冠形保持器５は、合成樹脂により全体を一体に構成されており、円環状のリム部１０と、リム部１０の円周方向等間隔となる複数箇所から軸方向片側に突出するとともに、中心軸線Ｌが軸方向片側に向かうほど径方向外側に向かう方向に傾斜した柱部１１とを備える。そして、リム部１０と円周方向に隣り合う１対の柱部１１とにより三方を囲まれた部分を、玉を転動自在に保持するためのポケット１２としている。傾斜型冠形保持器５は、柱部１１が位置する円周方向箇所に、リム部１０を径方向に貫通する円弧溝形状の凹部１３を有している。【選択図】図４
2020133741.tif 000002
【特許請求の範囲】
【請求項１】
合成樹脂により全体を一体に構成されており、
円環状のリム部と、
前記リム部の円周方向等間隔となる複数箇所から軸方向片側に突出するとともに、中心軸線が軸方向片側に向かうほど径方向外側に向かう方向に傾斜した柱部とを備え、
前記リム部と円周方向に隣り合う１対の前記柱部とにより三方を囲まれた部分を、玉を転動自在に保持するためのポケットとしており、
前記柱部が位置する円周方向箇所に、径方向又は軸方向に貫通する凹部を有している、
傾斜型冠形保持器。
【請求項２】
前記凹部は、前記リム部を径方向に貫通し、かつ、軸方向他側に開口している、
請求項１に記載の傾斜型冠形保持器。
【請求項３】
前記凹部は、前記リム部の径方向内側部を軸方向に貫通し、かつ、径方向内側に開口している、
請求項１または２に記載の傾斜型冠形保持器。
【請求項４】
前記凹部は、前記柱部の径方向外側部を軸方向に貫通し、かつ、径方向外側に開口している、
請求項１〜３のうちのいずれか１項に記載の傾斜型冠形保持器。
【請求項５】
前記柱部の総数が偶数であり、
円周方向に関する配置の位相が互いに１８０度ずれた２個の柱部が位置する円周方向箇所に前記凹部を有しておらず、残りの柱部のそれぞれが位置する円周方向箇所に前記凹部を有しており、
前記２個の柱部のうちの一方の柱部の外径面に射出成形のゲートの切断部が存在し、前記２個の柱部のうちの他方の柱部にウェルドが存在する、
請求項１〜４のうちのいずれか１項に記載の傾斜型冠形保持器。
【請求項６】
内周面にアンギュラ型の外輪軌道を有する外輪部材と、
外周面にアンギュラ型の内輪軌道を有する内輪部材と、
前記外輪軌道と前記内輪軌道との間に配置された複数個の玉と、
前記複数個の玉を保持するための保持器と、を備え、
前記保持器が、請求項１〜５のうちの何れか１項に記載の傾斜型冠形保持器である、
アンギュラ玉軸受。
【請求項７】
自動車の車輪を懸架装置に対して回転自在に支持するためのハブユニット軸受として用いられる、
請求項６に記載のアンギュラ玉軸受。
【発明の詳細な説明】
【技術分野】
【０００１】
本発明は、アンギュラ玉軸受を構成する複数個の玉を保持するための傾斜型冠形保持器、及び、該傾斜型冠形保持器を備えたアンギュラ玉軸受に関する。
【背景技術】
【０００２】
アンギュラ玉軸受を構成する複数個の玉を転動自在に保持するための保持器として、全体が略円すい筒状に構成された冠形保持器である、傾斜型冠形保持器が知られている｛例えば、特開２０１４−７７５０８号公報（特許文献１）参照｝。傾斜型冠形保持器は、合成樹脂により全体を一体に造られており、円環状のリム部と、リム部の円周方向複数箇所から軸方向片側に突出するとともに、中心軸線が軸方向片側に向かうほど径方向外側に向かう方向に傾斜した柱部とを備えている。そして、リム部と円周方向に隣り合う１対（２個）の柱部とにより三方を囲まれた部分を、玉を転動自在に保持するためのポケットとしている。
【先行技術文献】
【特許文献】
【０００３】
【特許文献１】特開２０１４−７７５０８号公報
【発明の概要】
【発明が解決しようとする課題】
【０００４】
上述したような傾斜型冠形保持器は、円周方向に関して互いに隣り合う箇所である、ポケットの底部が位置する円周方向箇所と、柱部が位置する円周方向箇所との、互いの肉厚差（体積差）が大きい。具体的には、ポケットの底部が位置する円周方向箇所の肉厚に比べて、柱部が位置する円周方向箇所の肉厚が大幅に大きい。このため、例えば、次のような不都合を生じる可能性がある。
【０００５】
傾斜型冠形保持器を射出成形によって造る際に、肉厚が大きい箇所である、柱部が位置する円周方向箇所のヒケが大きくなり、傾斜型冠形保持器全体の寸法精度（特に真円度）が悪化する可能性がある。
【０００６】
また、玉をポケット内に挿入する際には、円周方向に隣り合う１対の柱部の先端部同士の間隔を弾性的に拡げつつ、該先端部同士の間部分を通じて玉をポケット内に押し込むが、この際に生じる傾斜型冠形保持器の変形が、ポケットの底部が位置する円周方向箇所に集中し、該円周方向箇所が破損する可能性がある。
【０００７】
また、ポケットの底部が位置する円周方向箇所と柱部が位置する円周方向箇所との剛性差が大きいこと、具体的には、ポケットの底部が位置する円周方向箇所の剛性が、柱部が位置する円周方向箇所の剛性に比べて大幅に低いことに起因して、ポケット全体で玉をしなやかに包み込んで玉の移動に対する柱部の追従性を良くすることができなくなり、アンギュラ玉軸受の組立時に、ポケットから玉が脱落しやすくなる可能性がある。
【０００８】
なお、特開２０１４−７７５０８号公報（特許文献１）には、自動車の車輪を懸架装置に対して回転自在に支持するためのハブユニット軸受として用いられる、複列のアンギュラ玉軸受に関して、傾斜型冠形保持器のリム部の外径側でポケットと円周方向に整合する位置に、内径側に凹んだ切り欠きを設け、該切り欠きを通じて玉の一部分を軸方向に突出させた構造が記載されている。このような構造を採用すれば、両列の玉を保持する１対の傾斜型冠形保持器のリム部同士が軸方向に干渉することを防止できるため、その分、両列の玉の直径を大きくして、複列アンギュラ玉軸受の負荷能力及びモーメント剛性を高めることができる。しかしながら、このような構造を採用する場合には、前記切り欠きを有しない通常の傾斜型冠形保持器に比べて、ポケットの底部が位置する円周方向箇所と柱部が位置する円周方向箇所との肉厚差がより大きくなり、上述したような不都合がより生じやすくなると考えられる。
【０００９】
本発明は、上述したような事情に鑑み、ポケットの底部が位置する円周方向箇所と柱部が位置する円周方向箇所との肉厚差を小さくすることができる傾斜型冠形保持器の構造を実現すべく発明したものである。
【課題を解決するための手段】
【００１０】
本発明の傾斜型冠形保持器は、合成樹脂により全体を一体に構成されており、円環状のリム部と、前記リム部の円周方向等間隔となる複数箇所から軸方向片側に突出するとともに、中心軸線が軸方向片側に向かうほど径方向外側に向かう方向に傾斜した柱部とを備え、前記リム部と円周方向に隣り合う１対の前記柱部とにより三方を囲まれた部分を、玉を転動自在に保持するためのポケットとしている。
また、前記柱部が位置する円周方向箇所に、径方向又は軸方向に貫通する凹部を有している。
なお、前記凹部を有する円周方向箇所は、すべての柱部が位置する円周方向箇所であっても良いし、少なくとも１個の柱部を除いた、残りの柱部が位置する円周方向箇所のみであっても良い。
また、１個の柱部が位置する円周方向箇所における前記凹部の数は、１つでも良いし、複数でも良い。
【００１１】
本発明の傾斜型冠形保持器では、前記凹部が、前記リム部を径方向に貫通し、かつ、軸方向他側に開口している構成を採用することができる。
【００１２】
本発明の傾斜型冠形保持器では、前記凹部が、前記リム部の径方向内側部を軸方向に貫通し、かつ、径方向内側に開口している構成を採用することができる。
【００１３】
本発明の傾斜型冠形保持器では、前記凹部が、前記柱部の径方向外側部を軸方向に貫通し、かつ、径方向外側に開口している構成を採用することができる。
【００１４】
本発明の傾斜型冠形保持器では、前記柱部の総数が偶数であり、円周方向に関する配置の位相が互いに１８０度ずれた２個の柱部が位置する円周方向箇所に前記凹部を有しておらず、残りの柱部のそれぞれが位置する円周方向箇所に前記凹部を有しており、前記２個の柱部のうちの一方の柱部の外径面に射出成形のゲートの切断部が存在し、前記２個の柱部のうちの他方の柱部にウェルドが存在する構成を採用することができる。
【００１５】
本発明のアンギュラ玉軸受は、内周面にアンギュラ型の外輪軌道を有する外輪部材と、外周面にアンギュラ型の内輪軌道を有する内輪部材と、前記外輪軌道と前記内輪軌道との間に配置された複数個の玉と、前記複数個の玉を保持するための保持器とを備える。
また、前記保持器が、本発明の傾斜型冠形保持器である。
【００１６】
本発明のアンギュラ玉軸受は、自動車の車輪を懸架装置に対して回転自在に支持するためのハブユニット軸受として用いることができる。
【発明の効果】
【００１７】
本発明によれば、傾斜型冠形保持器に関して、ポケットの底部が位置する円周方向箇所と柱部が位置する円周方向箇所との肉厚差を小さくすることができる。
【図面の簡単な説明】
【００１８】
【図１】図１は、実施の形態の第１例に関するハブユニット軸受を示す断面図である。
【図２】図２は、実施の形態の第１例に関する傾斜型冠形保持器を軸方向に関して柱部側から見た図である。
【図３】図３は、実施の形態の第１例に関する傾斜型冠形保持器を軸方向に関してリム部側から見た図である。
【図４】図４は、図２のＡ−Ｏ−Ａ断面図である。
【図５】図５は、実施の形態の第１例に関する傾斜型冠形保持器の部分斜視図である。
【図６】図６は、実施の形態の第２例に関する傾斜型冠形保持器を軸方向に関して柱部側から見た図である。
【図７】図７は、実施の形態の第２例に関する傾斜型冠形保持器を軸方向に関してリム部側から見た図である。
【図８】図８は、図６のＢ−Ｂ断面図である。
【図９】図９は、実施の形態の第２例に関する傾斜型冠形保持器の部分斜視図である。
【図１０】図１０は、実施の形態の第３例に関する傾斜型冠形保持器を軸方向に関して柱部側から見た図である。
【図１１】図１１は、実施の形態の第３例に関する傾斜型冠形保持器を軸方向に関してリム部側から見た図である。
【図１２】図１２は、図１０のＣ−Ｃ断面図である。
【図１３】図１３は、図１０の右上部の斜視図である。
【図１４】図１４は、図１０の左下部の斜視図である。
【発明を実施するための形態】
【００１９】
［実施の形態の第１例］
実施の形態の第１例について、図１〜図５を用いて説明する。
【００２０】
本例では、本発明の傾斜型冠形保持器を備えたアンギュラ玉軸受を、自動車の車輪を懸架装置に対して回転自在に支持するためのハブユニット軸受（複列のアンギュラ玉軸受）に適用した場合について説明する。
【００２１】
本例のハブユニット軸受１は、いわゆる第１世代のハブユニット軸受と呼ばれるものであり、外輪部材に相当する１個の外輪２と、内輪部材に相当する１対（２個）の内輪３と、複数個の玉４と、２個の傾斜型冠形保持器５とを備えている。
【００２２】
外輪２は、内周面にそれぞれがアンギュラ型である複列の外輪軌道６を有している。１対の内輪３のそれぞれは、外周面にアンギュラ型の内輪軌道７を有している。１対の内輪３は、互いの小径側端面同士を突き合わせた状態で、外輪２の内径側に、外輪２と同軸に配置されている。この状態で、１対の内輪３の内輪軌道７は、複列の外輪軌道６と径方向に対向する位置に、複列に配置されている。玉４は、複列の外輪軌道６と複列の内輪軌道７との間に、それぞれの列ごとに複数個ずつ、円周方向に離隔して配置されるとともに、それぞれの列の傾斜型冠形保持器５により転動自在に保持されている。この状態で、複列に配置された玉４には、背面組み合わせ型（ＤＢ型）の接触角が付与されている。なお、図１中の鎖線αは、該接触角の方向を示している。
【００２３】
車両への組み付け状態で、外輪２は、図示しない懸架装置を構成するナックルに内嵌固定される。一方、１対の内輪３は、車輪を支持するためのハブフランジを有する図示しないハブ輪に外嵌固定される。したがって、本例のハブユニット軸受１では、外輪２が使用時にも回転しない静止輪となり、１対の内輪３が使用時に回転する回転輪となる。
【００２４】
外輪２の内周面と１対の内輪３の外周面との間に存在する内部空間８の軸方向両端開口のそれぞれは、組み合わせシールリング９により塞がれている。そして、これらの組み合わせシールリング９によって、内部空間８に封入された潤滑用のグリースが、内部空間８の軸方向両端開口を通じて外部空間に漏洩することを防止するとともに、外部空間に存在する泥水などの異物が、内部空間８の軸方向両端開口を通じて内部空間８に侵入することを防止している。
【００２５】
傾斜型冠形保持器５は、合成樹脂の射出成形によって全体を一体にかつ略円すい筒状に造られている。このような傾斜型冠形保持器５は、円環状のリム部１０と、リム部１０の円周方向等間隔となる複数箇所から軸方向片側に突出するとともに、中心軸線Ｌ（図４参照）が軸方向片側に向かうほど径方向外側に向かう方向に傾斜した柱部１１とを備えている。そして、リム部１０と円周方向に隣り合う１対の柱部１１とにより三方を囲まれた部分を、玉４を転動自在に保持するためのポケット１２としている。
【００２６】
なお、傾斜型冠形保持器５に関して、軸方向片側は、図１の右側の列の傾斜型冠形保持器５については右側であり、図１の左側の列の傾斜型冠形保持器５については左側である。また、傾斜型冠形保持器５に関して、軸方向他側は、図１の右側の列の傾斜型冠形保持器５については左側であり、図１の左側の列の傾斜型冠形保持器５については右側である。また、図示の例では、柱部１１の総数は１６個（偶数）であるが、本発明を実施する場合、柱部の総数は、本例の場合と異なる任意の数とすることができ、偶数に限らず、奇数とすることもできる。
【００２７】
ポケット１２の内面は、その曲率半径が玉４の転動面の曲率半径よりも僅かに大きい部分球状凹面である。玉４をポケット１２内に挿入する作業は、円周方向に隣り合う１対の柱部１１の先端部同士の間隔を弾性的に拡げつつ、該先端部同士の間部分を通じて玉４をポケット１２内に押し込むことによって行う。
【００２８】
柱部１１の外径面は、軸方向他側部が、軸方向片側に向かうほど径方向外側に向かう方向に傾斜した傾斜外径面１４となっており、軸方向片側部が、軸方向に延びる非傾斜外径面１５となっている。
【００２９】
また、傾斜型冠形保持器５は、柱部１１のそれぞれが位置する円周方向箇所Ｘ（図２及び図３参照）に、凹部（肉盗み部）１３を１つずつ有している。凹部１３は、当該円周方向箇所Ｘの円周方向中央部において、リム部１０の軸方向他側部（ポケット１２が形成された面とは反対側の側面）を径方向に貫通し、かつ、軸方向他側及び径方向両側（径方向内側と径方向外側）に開口する溝形状を有している。また、本例では、該溝形状を、リム部１０を一様な円弧形断面で径方向に貫通する円弧溝形状としている。
【００３０】
本例では、傾斜型冠形保持器５を造る際の射出成形の方法として、例えば、多数個取りのアキシアルドロー成形を採用することができる。この場合に、傾斜型冠形保持器５は、径方向外側部（軸方向片側部分）が固定型により成形され、径方向内側部（軸方向他側部分）が可動型により成形される。射出成形機は、固定型側に溶融樹脂の送り込み機構を備えるため、通常、成形品への溶融樹脂の入口であるゲートは、いずれか１個の柱部１１の非傾斜外径面１５に設ける。ゲートから注入された溶融樹脂は、ゲートがある柱部１１からリム部１０に伝わった後、リム部１０を円周方向に伝わりながら、各柱部１１にも順次伝わっていくので、溶融樹脂の分子の配向は、リム部１０から柱部１１へ向かってつながったものとなる。このため、リム部１０と柱部１１との接続強度を増加させることができる。また、該接続強度は、合成樹脂としてグラスファイバーなどの繊維を含むものを用いると、より効果的に増加させることができる。
【００３１】
以上のような構成を有する本例のハブユニット軸受１では、傾斜型冠形保持器５のうち、円周方向に関して互いに隣り合う箇所である、ポケット１２の底部が位置する円周方向箇所Ｙ（図２及び図３参照）と、柱部１１が位置する円周方向箇所Ｘとの、互いの肉厚差（体積差）を小さくすることができる。すなわち、傾斜型冠形保持器５は、柱部１１のそれぞれが位置する円周方向箇所Ｘの円周方向中央部に、リム部１０を径方向に貫通し、かつ、軸方向他側に開口する円弧溝形状の凹部１３を有している。このため、傾斜型冠形保持器５に関して、ポケット１２の底部が位置する円周方向箇所Ｙと柱部１１が位置する円周方向箇所Ｘとの肉厚差を、凹部１３の存在に基づいて小さくすることができる。このため、次のような効果を奏することができる。
【００３２】
肉厚が大きい箇所である、柱部１１が位置する円周方向箇所Ｘのヒケを防ぐことができ、このことによって、傾斜型冠形保持器５全体の寸法精度（特に真円度）を向上させることができる。また、玉４をポケット１２内に挿入する際に生じる傾斜型冠形保持器５の変形が、ポケット１２の底部が位置する円周方向箇所Ｙに集中することを防いで、該円周方向箇所Ｙが破損するのを防ぐことができる。また、ポケット１２の底部が位置する円周方向箇所Ｙと柱部１１が位置する円周方向箇所Ｘとの剛性差を小さくして、ポケット１２全体で玉４をしなやかに包み込み、玉４の移動に対する柱部１１の追従性を良くすることができる。このため、ハブユニット軸受１の組立時に、ポケット１２から玉４が脱落するのを防ぐことができる。
【００３３】
また、本例では、凹部１３の形状である溝形状を、円弧溝形状としている。このため、傾斜型冠形保持器５に関して、ポケット１２の底部が位置する円周方向箇所Ｙと柱部１１が位置する円周方向箇所Ｘとの間で肉厚を徐々に変化させることができる。このため、傾斜型冠形保持器５を射出成形する際に、ポケット１２の底部が位置する円周方向箇所Ｙと柱部１１が位置する円周方向箇所Ｘとの間での溶融樹脂の流れを良くすることができる。このため、例えば、傾斜型冠形保持器５を造る際の射出成形の方法として、前述した多数個取りのアキシアルドロー成形を採用する場合に、リム部１０から柱部１１に伝わる溶融樹脂の流れをより良くして、リム部１０から柱部１１へ向かってつながる溶融樹脂の分子の配向をより良くすることができ、リム部１０と柱部１１との接続強度をより増加させることができる。この結果、玉４をポケット１２内に挿入する際に、ポケット１２の底部が位置する円周方向箇所Ｙが破損したり、ハブユニット軸受１の組立時に、ポケット１２から玉４が脱落したりすることを、より有効に防止できる。
【００３４】
［実施の形態の第２例］
実施の形態の第２例について、図６〜図９を用いて説明する。
【００３５】
本例では、ハブユニット軸受のそれぞれの列の傾斜型冠形保持器５ａは、凹部１３（図１、図３、図４、図５参照）を有していない。その代わりに、傾斜型冠形保持器５ａは、柱部１１ａのそれぞれが位置する円周方向箇所Ｘ（図６及び図７参照）に、凹部１３ａを１つずつ有している。凹部１３ａは、当該円周方向箇所Ｘの円周方向中央部において、リム部１０ａの径方向内側部を軸方向に貫通し、かつ、径方向内側及び軸方向両側（軸方向片側と軸方向他側）に開口する溝形状を有している。また、本例では、該溝形状を、リム部１０ａの径方向内側部を一様な円弧形断面で軸方向に貫通する円弧溝形状としている。
【００３６】
このような本例の場合も、傾斜型冠形保持器５ａに関して、ポケット１２の底部が位置する円周方向箇所Ｙ（図６及び図７参照）と柱部１１ａが位置する円周方向箇所Ｘとの肉厚差を、凹部１３ａの存在に基づいて小さくすることができる。また、本例の場合も、凹部１３ａの形状である溝形状を、円弧溝形状としている。このため、傾斜型冠形保持器５ａに関して、ポケット１２の底部が位置する円周方向箇所Ｙと柱部１１ａが位置する円周方向箇所Ｘとの間で肉厚を徐々に変化させることができる。
その他の構成及び作用効果は、実施の形態の第１例の場合と同様である。
【００３７】
［実施の形態の第３例］
実施の形態の第３例について、図１０〜図１４を用いて説明する。
【００３８】
本例では、ハブユニット軸受のそれぞれの列の傾斜型冠形保持器５ｂは、凹部１３（図１、図３、図４、図５参照）を有していない。その代わりに、傾斜型冠形保持器５ｂは、総数が偶数（図示の例では１６個）である柱部１１、１１ｂのうち、円周方向に関する配置の位相が互いに１８０度ずれた２個の柱部１１を除いた、残りの柱部１１ｂのそれぞれが位置する円周方向箇所Ｘ（図１０及び図１１参照）に、凹部１３ｂを１つずつ有している。凹部１３ｂは、当該円周方向箇所Ｘの円周方向中央部において、柱部１１ｂの軸方向片側部の径方向外側部を軸方向に貫通し、かつ、径方向外側及び軸方向両側に開口する溝形状を有している。また、本例では、該溝形状を、柱部１１ｂの軸方向片側部の径方向外側部を一様な円弧形断面で軸方向に貫通する円弧溝形状としている。本例では、前記２個の柱部１１のそれぞれが位置する円周方向箇所Ｚ（図１０及び図１１参照）には、凹部１３ｂを有していない。
【００３９】
このような本例の場合も、傾斜型冠形保持器５ｂに関して、ポケット１２の底部が位置する円周方向箇所Ｙと柱部１１ｂが位置する円周方向箇所Ｘとの肉厚差を、凹部１３ｂの存在に基づいて小さくすることができる。また、本例の場合も、凹部１３ｂの形状である溝形状を、円弧溝形状としている。このため、傾斜型冠形保持器５ｂに関して、ポケット１２の底部が位置する円周方向箇所Ｙと柱部１１ｂが位置する円周方向箇所Ｘとの間で肉厚を徐々に変化させることができる。
【００４０】
また、本例では、傾斜型冠形保持器５ｂを多数個取りのアキシアルドロー成形で造る場合に、ゲートは、円周方向に関する配置の位相が互いに１８０度ずれた２個の柱部１１のうち、いずれか一方の柱部１１の非傾斜外径面１５に設ける。この結果、本例では、２個の柱部１１のうちの他方の柱部１１に、溶融樹脂の合流部（脆弱部）であるウェルドが形成される。すなわち、完成品の傾斜型冠形保持器５ｂには、一方の柱部１１の非傾斜外径面１５にゲートの切断部が存在し、他方の柱部１１にウェルドが存在するようになる。
【００４１】
このように本例では、ウェルドが存在する他方の柱部１１に凹部１３ｂを設けていないため、該柱部１１の強度を確保することができる。また、ウェルドが存在する他方の柱部１１だけでなく、該柱部１１に対して円周方向に関する配置の位相が１８０度ずれた、ゲートの切断部が存在する一方の柱部１１にも凹部１３ｂを設けていないため、傾斜型冠形保持器５ｂのアンバランスが生じることを回避できる。
なお、本発明を実施する場合には、すべての柱部に凹部１３ｂが形成された構成を採用することもできる。
その他の構成及び作用効果は、実施の形態の第１例の場合と同様である。
【００４２】
上述した各実施の形態の構成は、矛盾が生じない範囲で適宜組み合わせて実施することができる。例えば、本発明を実施する場合には、傾斜型冠形保持器の柱部が位置する円周方向箇所に、３種の凹部１３、１３ａ、１３ｂのうちの少なくとも２種の凹部を有する構成を採用することができる。また、本発明を実施する場合、傾斜型冠形保持器の凹部の溝形状は、円弧溝形状（雨樋形状）に限定されず、三角溝形状、台形溝形状、多角溝形状などの各種形状を採用することができる。また、傾斜型冠形保持器の凹部の溝形状は、その軸方向に関して溝深さが変化する形状を採用することもできる。
【００４３】
本発明を実施する場合には、特開２０１４−７７５０８号公報（特許文献１）に記載された構造のように、ハブユニット軸受などの複列のアンギュラ玉軸受に関して、傾斜型冠形保持器のリム部の外径側でポケットと円周方向に整合する位置に、内径側に凹んだ切り欠きを設け、該切り欠きを通じて玉の一部分を軸方向に突出させた構造を採用することもできる。このような構造を採用する場合も、上述した各実施の形態の場合と同様の作用効果を奏することができる。
【００４４】
また、本発明のアンギュラ玉軸受は、第１世代のハブユニット軸受に限らず、例えば、第２世代のハブユニット軸受、第３世代のハブユニット軸受などの、他の世代のハブユニット軸受に適用することもできる。また、本発明のアンギュラ玉軸受は、ハブユニット軸受に限らず、各種機械装置に組み込まれる単列または複列のアンギュラ玉軸受に適用することができる。
【符号の説明】
【００４５】
１  ハブユニット軸受
２  外輪
３  内輪
４  玉
５、５ａ、５ｂ  傾斜型冠形保持器
６  外輪軌道
７  内輪軌道
８  内部空間
９  組み合わせシールリング
１０、１０ａ  リム部
１１、１１ａ、１１ｂ  柱部
１２  ポケット
１３、１３ａ、１３ｂ  凹部
１４  傾斜外径面
１５  非傾斜外径面
【図１】
2020133741.tif 000003
【図２】
2020133741.tif 000004
【図３】
2020133741.tif 000005
【図４】
2020133741.tif 000006
【図５】
2020133741.tif 000007
【図６】
2020133741.tif 000008
【図７】
2020133741.tif 000009
【図８】
2020133741.tif 000010
【図９】
2020133741.tif 000011
【図１０】
2020133741.tif 000012
【図１１】
2020133741.tif 000013
【図１２】
2020133741.tif 000014
【図１３】
2020133741.tif 000015
【図１４】
2020133741.tif 000016